(57)【要約】 【課題】  従来の面付け錠には、室内外両側から合鍵で施解錠を行う両面シリンダー面付け錠があまり見られない。凶悪な犯罪が増えている現在、面付け錠でも両面シリンダーの要望が増えると思われる。面付け錠を両面シリンダーとする場合の技術的な課題は、室内側シリンダーの取り付けと錠ケースの扉への取り付けに関する技術である。その両方を解決する事が課題である。【解決手段】    室内側シリンダーの固定と固定解除を、面付け錠ケースを扉から外した状態で錠ケース裏側から行い、錠表面とデットボルトのネジ通し穴が移動して、ドライバーが差し込めずにネジ操作ができない機構を実現した。【選択図】図１
2006097360.tif 000002
【特許請求の範囲】
【請求項１】
室内側シリンダーの底側周囲にネジ(２０)を設け、底側周囲に固定溝(２１)を設け、錠ケースに室内側シリンダーを組み付ける為のネジ(８)とネジ周囲に固定溝(９)を設け、錠ケースに室内側シリンダーをねじ込み、両溝を合わせた位置で錠ケース底板(１８)に組み付けた固定ネジ頭(１７)や固定ピン(４１)を操作して、両溝にストッパー(１０)や固定ピンや固定ネジ(４３)を差し込み、室内側シリンダーを固定する。錠ケースを扉から外した状態で、錠ケース底側から室内側シリンダーの固定と固定の解錠を行う事を特徴とする両面シリンダー面付け錠の室内側シリンダー取り付け機構。
【請求項２】
面付け錠ケースの錠表面(３)に、取り付けネジ(３０)の軸芯位置に取り付けネジ頭(２８)の通るネジ通し穴(５)を設け、解錠時のデットボルト(４)の取り付けネジ軸芯位置に取り付けネジ頭の通るネジ通し穴(１１)を設けた事で、施錠時にはデットボルトが突き出して錠表面のネジ通し穴(５)を塞いで取り付けネジを回せず、面付け錠ケースを扉から外せないようにした事を特徴とする面付け錠ケース取り付け機構。
【発明の詳細な説明】
【技術分野】
【０００１】
両面シリンダー面付け錠のシリンダー取り付けと、錠ケース取り付けの技術に関する。
【背景技術】
【０００２】
アパートやマンションの玄関錠として多くの面付け錠が使用されている。
扉内に錠ケースを埋め込めない時や埋め込みたくない時も面付け錠が使用される。
面付け錠は防犯性が高く、防犯性を重視したい時にもよく使用される。
しかし面付け錠には室内外両側から合鍵で施解錠を行う両面シリンダーの錠がまだほとんど見られない。
【０００３】
扉には室内外両側から合鍵で施錠したい扉も多い。
扉に工具を使って穴を開け、穴から手や工具を入れて解錠される事を防止する為には両面シリンダー錠が効果的である。
【０００４】
扉に掘り込んで取り付ける従来の一般的な掘り込み錠の多くは、室内側にもシリンダーを組み付けて両面シリンダー錠として使用できる錠が多い。
しかし扉の表面に面付けして取り付ける面付け錠では、掘り込み錠とは違った条件で取り付ける為に、室内側シリンダーの固定と錠ケースの取り付けには掘り込み錠と違った技術が必要となる。
【０００５】
特願２００３−１９７０７８、両面シリンダー面付け錠は、室内側シリンダーの固定を錠フロント側から行い、錠ケース取り付けは取り付けベースを使って行ったものである。
【特許文献１】特願２００３−１９７０７８
【発明の開示】
【発明が解決しようとする課題】
【０００６】
両面シリンダー面付け錠は、施錠状態では室内側シリンダーや扉の室内側表面に取り付けた錠ケースを、室内側からでも外されてはいけない。
その事をいかに簡単に効果的に解決するかが、両面シリンダー面付け錠の最も重要な課題である。
【０００７】
室内側シリンダーの固定と固定解除操作が簡単に確実にできて、施錠時にはその固定が防犯的に充分な効果と強度を持つ事が必要であり、その機構を実現する事が課題である。
錠ケースの扉への取り付けも簡単に確実にできて、施錠時には防犯的に必要な効果と強度を持つ機構を実現する事が課題である。
【０００８】
面付け錠には従来室内側シリンダーを組み付けたものはほとんど見られない。
その為に室内側シリンダーの錠ケースに対する組み付け技術も確立されておらず、今有る数少ない技術の効果を示すデータも無い。
錠ケースの扉への取り付けにしても同様である。
そのような中でより効果的と思われる技術を実現する事が目的である。
【課題を解決するための手段】
【０００９】
室内側シリンダーや錠ケースは施錠時にのみ外せなければ良い。逆に言えば施錠してない時は外されても良い。そのように考えると解錠状態で錠の取り付けと取り外しができ、施錠状態ではできない機構を考えれば良い。
また室内外両側シリンダーは錠ケースを扉から外さないとできなくすれば良い。
【００１０】
請求項１記載の室内側シリンダー取り付け機構は錠ケースを扉から外した状態で、錠ケースの裏側である底板(１８)側からシリンダーの固定と固定解除を行う事を考えた。
請求項２記載の面付け錠ケース取り付け機構は、デットボルトを引込めた解錠時には錠ケースの取り外しができる方法を考えた。
【００１１】
請求項１記載の、室内側シリンダー取り付け機構の構造を説明する。
室内側シリンダーの固定機構を設けたシリンダーと錠ケースを示す図が図１、２である。
その組み付けたシリンダーを固定する金具である、ストッパー(１０)を組み付けた固定ネジ頭(１７)を示す図が図７である。
固定ネジは軸に軸ネジ(３６)を切ってあり、ストッパーはその受けネジを切ってある。
固定ネジ頭(１７)を回せばストッパーは軸ネジに沿って移動する。
【００１２】
室内側シリンダーには底側周囲にネジ(２０)を設け、底側周囲に固定溝(２１)を設ける。
錠ケースにはそのシリンダーを組み付ける為のシリンダーホルダ(７)に受けネジ(８)を設け、受けネジの周囲に固定溝(９)を設ける。シリンダーや錠ケースの固定溝の数は複数でも良く、数はシリンダーの構造に合わせて決めれば良い。
シリンダーに設けるネジや固定溝は、シリンダーの外筒(１９)か外筒を包む保護カバーに設ける。
【００１３】
室内側シリンダーを固定する仕組みを図５、６で説明する。
図５、６はシリンダーをシリンダーホルダに奥までねじ込み、シリンダーの固定溝(２１)とシリンダーホルダ(７)の固定溝(９)位置を合わせた状態である。
その状態で錠ケースの底板(１８)側から固定ネジ頭(１７)を回して、固定ネジに組み付けたストッパー(１０)を両溝に差し込んだ状態が図５A、図６A、Bである。この状態ではシリンダー外筒(１９)を外す事ができないシリンダーの固定状態である。
【００１４】
固定ネジ頭を回し、ストッパー(１０)を両溝から抜き取った状態が図５B、図６C、D、Eである。この状態では両溝間にストッパーは無く、シリンダー外筒(１９)を回して室内側シリンダーをシリンダーホルダから外す事ができる。
この固定ネジ頭を回して室内側シリンダーの固定と固定解除を行う事は、面付け錠ケースを扉から外さないとできない。
面付け錠ケースを扉から外した状態で、錠の底板側から行うのが本発明の特徴である。
【００１５】
従来の掘り込み錠のシリンダー固定方法でも同様の構造のものが有るが、従来のものは扉を開けた状態で、扉の戸先に取り付けた錠フロント側から行っている。本発明のように錠ケースを扉から外して行った方がより手間は掛かるが防犯効果はより大きいと考える。
また従来のようにシリンダーの横方向から固定ピンを固定溝に差し込むよりも、本発明のようにシリンダーの底方向から差し込んだ方がシリンダーの固定の遊びを解消し易く、固定ストロークも大きくできる利点がある。
【００１６】
シリンダーホルダの固定溝とシリンダーの固定溝の間に差し込む固定ネジや固定ピンの形は、図８A、Bで示したようにシリンダーホルダとシリンダーの間にクサビ状となって、シリンダーの回転を止めるものであれば良い。その錠のシリンダーホルダやシリンダーの形状に合わせて決めれば良い。
【００１７】
請求項２記載の面付け錠ケース取り付け機構を説明する。
図１の錠表面(３)にネジ通し穴(５)を設け、デットボルト(４)にネジ通し穴(１１)を設け、扉に対して面付け錠ケース(１)を両ネジ通し穴から取り付けネジとドライバーを差し込んで取り付ける。
【００１８】
解錠状態で無いと錠ケースを扉から取り外せない仕組みを図３、４に基づいて説明する。図３A、４Aが解錠状態である。
この状態では錠ケースのネジ通し穴(５)にデットボルトのネジ通し穴(１１)が揃っており、取り付けネジ(３０)とドライバー(３４)を両ネジ通し穴を貫通させて、錠ケースの座板(１８)に設けた座ぐり穴にネジを入れ、錠の座板を扉にネジ止めする事ができる。
【００１９】
図３B、４Bが施錠状態である。施錠状態ではデットボルト(４)のネジ通し穴(１１)が移動し、デットボルトが錠表面に設けたネジ通し穴(５)を塞ぐ状態となる。この状態ではドライバー(３４)をネジ通し穴から差し込む事ができず、取り付けネジ(３０)のネジ頭(２８)を回す事ができない。よって面付け錠ケースを扉から外す事ができない。
【発明の効果】
【００２０】
室内側シリンダーの固定機構について、
室外側シリンダー(１３)の従来の一般的な固定位置と固定方法は、図２で示したように、錠ケース座板(１８)に錠ケース裏側からビス止めして固定している。室内側シリンダーの固定ネジの位置も同じ錠ケース裏側とする事で、室内外両シリンダーの固定と固定解除が同じ面で可能となり、室内外のシリンダーの脱着がし易くなる。
【００２１】
室内側シリンダーも室外側シリンダーと同様に、錠ケースを扉から外さないと取り外しができない事で、シリンダーの取り外しについては室外側シリンダーと防犯レベルが同一となり、防犯性が高まる。
【００２２】
面付け錠取り付け機構について、
構造面については従来の面付け錠と何ら違いは無い。
単に錠表面とデットボルトにネジとドライバーを貫通させて通すネジ通し穴を設けただけである。
扉への錠取り付けや取り外しの作業も、従来の面付け錠と何ら違いは無い。
しかし施錠時には錠の取り外しが自動的にできなくなる事が本機構の取り扱い易さである。
【発明を実施するための最良の形態】
【００２３】
本発明の錠を取り付け可能な扉は、従来の面付け錠を取り付ける事のできる扉はすべて可能である。
本発明の錠を必要とする時は、面付け錠で室内外両側から合鍵で施解錠したい時である。
面付け錠は扉の開扉側である室外側からの防犯性能が特に優れており、そのような要求の有る扉に取り付けたい時である。
【００２４】
発明の室内側シリンダーの脱着を説明する。
面付け錠ケースを扉から外した状態で、錠ケースの裏側から座板(１８)に設けた固定ネジ頭(１７)をドライバーで回すと、固定ネジに組み付けた固定ピン(10)がシリンダーの固定溝(２１)から移動して外れる。次にシリンダー外筒(１９)を回せばシリンダーのネジ(２０)が錠ケースのシリンダーホルダ(７)のネジ(８)から外れ、室内側シリンダーは外れる。室内側シリンダーの取り付けはその逆を行う。
【００２５】
発明の面付け錠を扉に取り付ける手順を説明する。
手順は従来の面付け錠とはまったく同じである。
取り付けネジの頭が錠表面となるか錠ケース内のデットボルトの奥になるかの違いだけである。
まず、デットボルトを引込めた解錠状態である事を確認する。
次に取り付けネジ(３０)をドライバー(３４)の先に付け、錠表面のネジ通し穴(５)とデットボルトのネジ通し穴(１１)を貫通させ、錠ケースの座板(１８)を扉室内側面(３１)にビス止めする。
【００２６】
面付け錠ケースを扉に取り付けた後で、施錠状態であるデットボルトを突き出した状態ではデットボルトが移動する事で、デットボルトのネジ通し穴が移動して図４B、図３Bの状態となり、ドライバーが差し込めなくなって錠ケースの取り外しができなくなる。
取り付けネジは他にも従来型ネジ座ぐり穴(６)を設けて、従来の取り付け方法と合わせて使用すればより取り付け強度を増す事ができる。
【００２７】
両面シリンダー面付け錠を使用する場合でも、室内側からの防犯は室外側からの防犯に比べて要求レベルが少し低いと思われる。
その事を考えるとデットボルトの数分の１個か２個の取り付けネジを本発明の取り付け方法として、合わせて従来のネジ止めを２個から３個行えば良いと考える。
【図面の簡単な説明】
【００２８】
【図１】Ａ．発明の面付け錠の、室内側シリンダーを外した室内側斜視図である。          Ｂ．デットボルトの斜視図である。
【図２】Ａ．図１の面付け錠を裏側から見た斜視図である。        Ｂ．室内側シリンダーを底側から見た斜視図である。
【図３】Ａ．図１のAA断面で解錠状態を示す。        Ｂ．施錠状態を示す。
【図４】Ａ．図１のB位置水平断面で、解錠状態を示す。        Ｂ．施錠状態を示す。
【図５】Ａ．図２のC位置水平断面で、室内側シリンダーを固定した状態を示す。        Ｂ．固定を解除した状態を示す。
【図６】Ａ．室内側シリンダーの固定した状態を横方向から示した図である。        Ｂ．Aを輪切りして示した図である。        C．固定を解除した状態を横方向から示した図である。        D．Cを輪切りして示した図である。        E．Cのシリンダーホルダを縦に切り取って示した図である。
【図７】シリンダーの固定ネジにストッパーを組み合わせた斜視図である。
【図８】Ａ．シリンダーのストッパーと固定ピンを１体とした変形例を示す。        Ｂ．シリンダーを固定ネジで直接固定する変形例を示す。
【符号の説明】
【００２９】
１        面付け錠ケース
２        錠フロント
３        錠表面
４        デットボルト
５        ネジ通し穴
６        従来型ネジ座ぐり穴
７        シリンダーホルダ
８        ネジ
９        固定溝
１０      ストッパー
１１      ネジ通し穴
１２      錠後方面
１３      室外側シリンダー
１４      固定ネジ
１５      座ぐり穴
１６      バカ穴
１７      固定ネジ頭
１８      座板
１９      外筒
２０      ネジ
２１      固定溝
２２      内筒
２３      シリンダー軸
２４      ダルマ
２５      デットカム
２６      シリンダー軸受け穴
２７      ロッキングバー
２８      取り付けネジ頭
２９      ロッキングピン
３０      取り付けネジ
３１      扉室内側面
３２      枠
３３      錠受け穴
３４      ドライバー
３５      化粧リング
３６      軸ネジ
３７      ガイド
４１      固定ピン
４２      ストッパー
４３      固定ネジ
【図１】
2006097360.tif 000003
【図２】
2006097360.tif 000004
【図３】
2006097360.tif 000005
【図４】
2006097360.tif 000006
【図５】
2006097360.tif 000007
【図６】
2006097360.tif 000008
【図７】
2006097360.tif 000009
【図８】
2006097360.tif 000010